【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
遊技球が所定領域を通過したことを検出する検出手段と、
前記検出手段の検出に基づいて乱数を取得する乱数取得手段と、
前記乱数に基づき変動表示ゲームを実行する変動表示ゲーム実行手段と、
前記変動表示ゲームを表示可能な表示領域を備える表示装置と、
該表示装置に前記変動表示ゲームに関連する表示演出を表示する表示制御手段と、
前記乱数取得手段により取得された前記乱数を所定の上限数まで記憶可能な乱数記憶手段と、
前記乱数記憶手段に記憶されている前記乱数の数を保留表示として表示する保留記憶表示手段と、
前記乱数記憶手段に記憶されている前記乱数が遊技者にとって有利な特別遊技状態を発生可能な乱数であるかを前記変動表示ゲームが開始されるまでの間に遊技者に示唆報知を実行可能な先読み手段と、
前記先読み手段の結果を前記保留表示に反映した保留先読み表示を実行する保留先読み表示手段と、
遊技者の操作を検出可能な操作受付手段と、
を備え、
前記保留先読み表示は、前記操作受付手段による操作の検出に基づき前記保留表示されている場所に関わらず任意のタイミングにて保留表示の表示態様を特殊保留表示に変更可能な操作保留表示を含み、
前記操作保留表示による保留表示の表示態様が表示されている状態において、前記操作受付手段による操作の検出に応じて前記特殊保留表示に変更する操作保留有効期間と、前記操作保留表示による保留表示の表示態様が表示されている状態において前記操作受付手段に対する遊技者の操作があっても前記特殊保留表示に変更されない操作保留無効期間を備え、
前記操作保留表示中に前記変動表示ゲームの実行に基づき前記乱数記憶手段に記憶されている乱数の数が更新され、かつ前記操作受付手段による検出されなかった際に前記操作保留表示の表示態様を維持したまま表示位置を変更し、
前記保留表示の表示態様が前記特殊保留表示として表示される表示パターンは、前記操作保留表示による保留表示の表示態様が表示され、かつ前記操作保留有効期間である場合に、前記操作受付手段による操作の検出に応じて前記特殊保留表示に変更される第１表示パターンと、前記乱数記憶手段に新たに記憶されたことに応じて新たに表示される前記保留表示が表示開始時において前記特殊保留表示として表示される第２表示パターンとがあり、
前記操作保留表示による保留表示の表示態様が表示されている状態において前記操作受付手段に対し遊技者の操作がなされず、前記操作保留表示に対応して実行される前記変動表示ゲームよりも消化順序が先とされる前記変動表示ゲームが全て実行され、前記操作保留表示に対応した前記変動表示ゲームが開始されると、前記操作受付手段に対する遊技者の操作があっても前記特殊保留表示の表示を実行しないように制御し、
前記変動表示ゲームに関連する前記表示演出は、前記操作受付手段の操作の検出に応じて実行される操作演出を含み、前記操作演出は遊技者に操作を促す操作促進表示を表示した後、所定時間内に前記操作受付手段の操作を検出したことに応じて実行されるように構成され、
前記操作保留表示の表示態様と前記操作促進表示の表示態様は、互いに異なる表示として認識可能にそれぞれの表示態様を異ならせていることを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、発光にかかる制御を行う発光制御手段をさらに備えることを特徴とする遊技機。
【手続補正２】
【補正対象書類名】明細書
【補正対象項目名】０００２
【補正方法】変更
【補正の内容】
【０００２】
例えば、入賞口に遊技媒体である遊技球が入賞すると、それに基づいて大当り抽選を行い、当該抽選の結果が大当たりである場合に、大当たり遊技を行い遊技者に特典を付与するパチンコ機が知られている。
この種の遊技機では、大当り抽選の抽選結果に応じて演出表示装置に様々な演出画像を表示させることで、抽選結果が大当たりであることへの期待感等を持たせて、遊技者の興趣を高めることが行われている。
【手続補正３】
【補正対象書類名】明細書
【補正対象項目名】０００３
【補正方法】変更
【補正の内容】
【０００３】
【特許文献１】特開２００９−２９１２６３号公報
【手続補正４】
【補正対象書類名】明細書
【補正対象項目名】０００４
【補正方法】変更
【補正の内容】
【０００４】
しかしながら、このような演出だけでは遊技意欲が低下するおそれがあった。本発明はこのような課題に鑑みてなされたものであり、遊技者を飽きさせることなく遊技意欲の向上を図ることを目的としている。
【手続補正５】
【補正対象書類名】明細書
【補正対象項目名】０００５
【補正方法】変更
【補正の内容】
【０００５】
上記目的を達成するために、本発明の遊技機は、遊技球が所定領域を通過したことを検出する検出手段と、前記検出手段の検出に基づいて乱数を取得する乱数取得手段と、前記乱数に基づき変動表示ゲームを実行する変動表示ゲーム実行手段と、前記変動表示ゲームを表示可能な表示領域を備える表示装置と、該表示装置に前記変動表示ゲームに関連する表示演出を表示する表示制御手段と、前記乱数取得手段により取得された前記乱数を所定の上限数まで記憶可能な乱数記憶手段と、前記乱数記憶手段に記憶されている前記乱数の数を保留表示として表示する保留記憶表示手段と、前記乱数記憶手段に記憶されている前記乱数が遊技者にとって有利な特別遊技状態を発生可能な乱数であるかを前記変動表示ゲームが開始されるまでの間に遊技者に示唆報知を実行可能な先読み手段と、前記先読み手段の結果を前記保留表示に反映した保留先読み表示を実行する保留先読み表示手段と、遊技者の操作を検出可能な操作受付手段と、を備え、前記保留先読み表示は、前記操作受付手段による操作の検出に基づき前記保留表示されている場所に関わらず任意のタイミングにて保留表示の表示態様を特殊保留表示に変更可能な操作保留表示を含み、前記操作保留表示による保留表示の表示態様が表示されている状態において、前記操作受付手段による操作の検出に応じて前記特殊保留表示に変更する操作保留有効期間と、前記操作保留表示による保留表示の表示態様が表示されている状態において前記操作受付手段に対する遊技者の操作があっても前記特殊保留表示に変更されない操作保留無効期間を備え、前記操作保留表示中に前記変動表示ゲームの実行に基づき前記乱数記憶手段に記憶されている乱数の数が更新され、かつ前記操作受付手段による検出されなかった際に前記操作保留表示の表示態様を維持したまま表示位置を変更し、前記保留表示の表示態様が前記特殊保留表示として表示される表示パターンは、前記操作保留表示による保留表示の表示態様が表示され、かつ前記操作保留有効期間である場合に、前記操作受付手段による操作の検出に応じて前記特殊保留表示に変更される第１表示パターンと、前記乱数記憶手段に新たに記憶されたことに応じて新たに表示される前記保留表示が表示開始時において前記特殊保留表示として表示される第２表示パターンとがあり、前記操作保留表示による保留表示の表示態様が表示されている状態において前記操作受付手段に対し遊技者の操作がなされず、前記操作保留表示に対応して実行される前記変動表示ゲームよりも消化順序が先とされる前記変動表示ゲームが全て実行され、前記操作保留表示に対応した前記変動表示ゲームが開始されると、前記操作受付手段に対する遊技者の操作があっても前記特殊保留表示の表示を実行しないように制御し、前記変動表示ゲームに関連する前記表示演出は、前記操作受付手段の操作の検出に応じて実行される操作演出を含み、前記操作演出は遊技者に操作を促す操作促進表示を表示した後、所定時間内に前記操作受付手段の操作を検出したことに応じて実行されるように構成され、前記操作保留表示の表示態様と前記操作促進表示の表示態様は、互いに異なる表示として認識可能にそれぞれの表示態様を異ならせていることを特徴としている。
【手続補正６】
【補正対象書類名】明細書
【補正対象項目名】０００６
【補正方法】変更
【補正の内容】
【０００６】
本発明の構成によれば、遊技者を飽きさせることなく遊技意欲の向上を図ることが出来る。